(57)【要約】【課題】  表示パネルを正確に位置合わせすることができるとともに、支持片が表示パネルの側面に当接した際に表示パネルの電極と支持片とに短絡が生じてしまうことを防止することのできる表示装置を提供すること。【解決手段】  支持片１２ａ，１２ｂの液晶表示パネル１４の端縁と当接する内面を絶縁性樹脂材料１３により被覆する。【選択図】      図１
2008009138.tif 000002
【特許請求の範囲】
【請求項１】
表示パネルと、上方が開放された箱状の裏面ケースと金属材料からなる枠状の支持ケースを有するユニットケースとを備え、
前記表示パネルが、前記ユニットケースに設けられた支持片により支持されて前記支持ケース上に配置されている表示装置において、
前記支持片の前記表示パネルと当接する内面が絶縁性を有することを特徴とする表示装置。
【請求項２】
前記支持片は、前記支持ケースと一体に形成されており、前記表示パネルと当接する内面が絶縁性樹脂材料により被覆されている請求項１に記載の表示装置。
【請求項３】
前記支持片は、絶縁性樹脂材料により形成されており、前記支持ケース上に立設されている請求項１に記載の表示装置。
【請求項４】
前記支持片は、絶縁性樹脂材料により前記裏面ケースと一体に形成されており、前記支持ケースに形成された挿通孔を介して前記支持ケース上に突出されている請求項１に記載の表示装置。
【請求項５】
前記支持片は、絶縁性樹脂材料により前記裏面ケースの角部に一体に形成されており、上面視Ｌ字形状とされ、前記支持ケースの角部の切欠きを介して前記支持ケース上に突出されている請求項１に記載の表示装置。
【発明の詳細な説明】
【技術分野】
【０００１】
本発明は、表示パネルとユニットケースとを組合わせることにより構成された表示装置に係り、特に、表示パネルとユニットケースとを組み合わせる際に、表示パネルの電極とユニットケースとに短絡が生じてしまうことを防止することのできる表示装置に関する。
【背景技術】
【０００２】
従来より、表示装置は、例えば液晶表示パネルとバックライト装置とを組合わせて構成されており、バックライト装置に配設された突起部に液晶表示パネルを当接させて位置合わせを行った後、両面粘着テープなどにより液晶表示パネルをバックライト装置に固定して構成されている。
【０００３】
このような従来のバックライト装置５１は、一例として図１５および図１６に示すように、上方が開放された箱状の裏面ケース５２内に、蛍光管などの光源５５、導光板５６、拡散シートやレンズシートといった複数枚の光学シート５７を収納し、前記裏面ケース５２に枠状の支持ケース５８を嵌着させて構成されている。
【０００４】
前記裏面ケース５２はアルミニウム等の金属材料から形成されており、各側壁５２ａ〜５２ｄには、前記支持ケース５８に穿設された後述する開口６１ａ〜６１ｈにそれぞれ嵌合する突起部５３ａ〜５３ｈが一体に形成されている。
【０００５】
また、前記裏面ケース５２の隣接する各側壁５２ａ〜５２ｄ間、つまり、前記裏面ケース５２の四隅には、それぞれ開放された切欠き５４ａ〜５４ｄが形成されており、そのうちの切欠き５４ａからは前記光源５５の電源ケーブル５５ａが引き出されるようになっている。
【０００６】
なお、前記裏面ケース５２の背面には、表示装置を電気機器（図示せず）に配設した際にこの電気機器に配設されたアース電極に接続されるアース接続片（図示せず）が一体に形成されている。
【０００７】
前記支持ケース５８は、前記裏面ケース５２と同様にアルミニウム等の金属材料から形成されており、液晶表示パネルの表示領域に対応する箇所が開口５９とされた枠状に形成されている。
【０００８】
前記支持ケース５８の隣接する各側壁５８ａ〜５８ｄ間、つまり、前記支持ケース５８の四隅には、前記支持ケース５８を前記裏面ケース５２と嵌着させた際に、前記裏面ケース５２の各切欠き５４ａ〜５４ｄとそれぞれ開口を形成する切欠き６０ａ〜６０ｄが形成されている。
【０００９】
また、前記支持ケース５８の各側壁５８ａ〜５８ｄには、それぞれ所定の間隔を隔てて開口６１ａ〜６１ｈが穿設されている。
【００１０】
さらに、前記支持ケース５８の側壁５８ｂおよび側壁５８ｃには、上方に突設され、液晶表示パネルが当接して位置合わせするためのほぼ長方形状の支持片６２ａ，６２ｂがそれぞれ一体に形成されている。なお、これら支持片６２ａ，６２ｂの形成方法としては、各側壁５８ｂ，５８ｃにそれぞれコ字形状の切り込みを入れ、これら切り込みを入れた箇所を上方へ折り返すようにして形成される。
【００１１】
そして、前記裏面ケース５２内に、光源５５、導光板５６および光学シート５７を収納するとともに、前記裏面ケース５２の切欠き５４ａおよび前記支持ケース５８の切欠き６０ａから前記光源５５の電源ケーブル５５ａを引き出し、前記裏面ケース５２に形成された各突起部５３ａ〜５３ｈを前記支持ケース５８の各開口６１ａ〜６１ｈにそれぞれ嵌着させて、前記支持ケース５８を前記裏面ケース５２に固定することによりバックライト装置５１が完成される。
【００１２】
そして、前述した構成からなるバックライト装置５１によれば、図１７に示すように、バックライト装置５１と液晶表示パネル６３を組合わせる際に、支持ケース５８の側壁５８ｂおよび側壁５８ｃにそれぞれ形成された支持片６２ａおよび支持片６２ｂに液晶表示パネル６３の側面である端縁を当接させることにより、液晶表示パネル６３とバックライト装置５１の位置合わせを行なうことができ、両面粘着テープ等の粘着材（図示せず）により液晶表示パネル６３をバックライト装置５１に固定することにより液晶表示装置６４が構成される。
【発明の開示】
【発明が解決しようとする課題】
【００１３】
しかしながら、前述したような従来の液晶表示装置６４においては、液晶表示パネル６３とバックライト装置５１とを組合わせて液晶表示装置６４を完成させる際、液晶表示パネル６３を位置合わせするためにバックライト装置５１の支持ケース５８に形成された各支持片６２ａ，６２ｂがそれぞれ金属材料から形成されていたため、各支持片６２ａ，６２ｂが液晶表示パネル６３の側面に当接すると、液晶表示パネル６３の電極と各支持片６２ａ，６２ｂとに短絡が生じてしまうという問題があった。
【００１４】
そこで、本発明は、表示パネルを正確に位置合わせすることができるとともに、支持片が表示パネルの側面に当接した際に表示パネルの電極と支持片とに短絡が生じてしまうことを防止することのできる表示装置を提供することを目的とするものである。
【課題を解決するための手段】
【００１５】
前述した目的を達成するため、本発明に係る表示装置の第１の特徴は、表示パネルと、上方が開放された箱状の裏面ケースと金属材料からなる枠状の支持ケースを有するユニットケースとを備え、前記表示パネルが、前記ユニットケースに設けられた支持片により支持されて前記支持ケース上に配置されている表示装置において、前記支持片の前記表示パネルと当接する内面が絶縁性を有する点にある。
【００１６】
このような構成を採用したことにより、表示パネルとユニットケースとを組合わせる際に、支持片が表示パネルの端縁に当接したとしても、表示パネルの電極と支持片との間で短絡が生じることを防止することができる。
【００１７】
本発明に係る表示装置の第２の特徴は、前記支持片は、前記支持ケースと一体に形成されており、前記表示パネルと当接する内面が絶縁性樹脂材料により被覆されている点にある。
【００１８】
このような構成を採用したことにより、支持片に複雑な加工を施すこと無く絶縁性を確保することができる。
【００１９】
本発明に係る表示装置の第３の特徴は、前記支持片は、絶縁性樹脂材料により形成されており、前記支持ケース上に立設されている点にある。
【００２０】
このような構成を採用したことにより、支持片が絶縁性樹脂材料により形成されているので、支持片が表示パネルの端縁に当接した際、表示パネルの電極と支持片との間の短絡を確実に防止することができる。
【００２１】
本発明に係る表示装置の第４の特徴は、前記支持片は、絶縁性樹脂材料により前記裏面ケースと一体に形成されており、前記支持ケースに形成された挿通孔を介して前記支持ケース上に突出されている点にある。
【００２２】
このような構成を採用したことにより、支持片が絶縁性樹脂材料により裏面ケースと一体に形成されているので、支持片の形成が容易であり、支持片が表示パネルの端縁に当接した際に、表示パネルの電極と支持片との間の短絡を確実に防止することができる。
【００２３】
本発明に係る表示装置の第５の特徴は、前記支持片は、絶縁性樹脂材料により前記裏面ケースの角部に一体に形成されており、上面視Ｌ字形状とされ、前記支持ケースの角部の切欠きを介して前記支持ケース上に突出されている点にある。
【００２４】
このような構成を採用したことにより、支持片の形成が容易であるとともに支持片の強度が増す。また、支持片が表示パネルの端縁に当接した際に、表示パネルの電極と支持片との間の短絡を確実に防止することができる。
【発明の効果】
【００２５】
本発明の表示装置によれば、ユニットケースと表示パネルとを組合わせる際に、支持片により表示パネルとユニットケースとを正確に位置合わせすることができるとともに、表示パネルの電極が支持片に当接した際に、短絡が生じてしまうことを防止することができる。
【発明を実施するための最良の形態】
【００２６】
以下、本発明に係る表示装置を図面に示す実施形態により説明する。
【００２７】
図１は本発明に係る表示装置の第１実施形態のバックライト装置を示す概略図、図２は図１の分解斜視図、図３は本第１実施形態のバックライト装置と液晶表示パネルとを組合わせた概略図である。
【００２８】
本第１実施形態のバックライト装置１は、図１および図２に示すように、上方が開放された箱状の裏面ケース２内に、蛍光管などの光源５、導光板６、拡散シートやレンズシートといった複数枚の光学シート７を収納し、前記裏面ケース２に枠状の支持ケース８を嵌着させて構成されている。
【００２９】
前記裏面ケース２はアルミニウム等の金属材料から形成されており、各側壁２ａ〜２ｄには、前記支持ケース８に穿設された後述する開口１１ａ〜１１ｈにそれぞれ嵌合する突起部３ａ〜３ｈが一体に形成されている。
【００３０】
また、前記裏面ケース２の隣接する各側壁２ａ〜２ｄ間、つまり、前記裏面ケース２の四隅には、それぞれ開放された切欠き４ａ〜４ｄが形成されており、そのうちの切欠き４ａからは前記光源５の電源ケーブル５ａが引き出されるようになっている。
【００３１】
なお、前記裏面ケース２の背面には、本第１実施形態のバックライト装置１を電気機器（図示せず）に配設した際にこの電気機器に配設されたアース電極に接続されるアース接続片（図示せず）が一体に形成されている。
【００３２】
前記支持ケース８は、前記裏面ケース２と同様にアルミニウム等の金属材料から形成されており、液晶表示パネルの表示領域に対応する箇所が開口９とされた枠状に形成されている。
【００３３】
前記支持ケース８の隣接する各側壁８ａ〜８ｄ間、つまり、前記支持ケース８の四隅には、前記支持ケース８を前記裏面ケース２と嵌着させた際に、前記裏面ケース２の各切欠き４ａ〜４ｄとそれぞれ開口を形成する切欠き１０ａ〜１０ｄが形成されている。
【００３４】
また、前記支持ケース８の各側壁８ａ〜８ｄには、それぞれ所定の間隔を隔てて開口１１ａ〜１１ｈが穿設されている。
【００３５】
さらに、前記支持ケース８の側壁８ｂおよび側壁８ｃには、上方に突設され、液晶表示パネルが当接して位置合わせするための、各側壁８ｂ，８ｃの長手方向にそれぞれ延在するほぼ長方形状の支持片１２ａ，１２ｂが一体に形成されている。なお、これら支持片１２ａ，１２ｂの形成方法としては、各側壁８ｂ，８ｃにそれぞれコ字形状の切り込みを入れ、これら切り込みを入れた箇所を上方へ折り返すようにして形成される。
【００３６】
そして、本第１実施形態においては、前記支持ケース８に形成された各支持片１２ａ，１２ｂの内側の表面にポリイミド等の絶縁性樹脂材料１３をそれぞれ被覆する。
【００３７】
そして、前記裏面ケース２内に、光源５、導光板６および光学シート７を収納するとともに、前記裏面ケース２の側壁２ａおよび側壁２ｂ間に形成された切欠き４ａから前記光源５の電源ケーブル５ａを引き出し、前記裏面ケース２に形成された各突起部３ａ〜３ｈと前記支持ケース８の各開口１１ａ〜１１ｈをそれぞれ嵌着させて、前記支持ケース８を前記裏面ケース２に固定することによりバックライト装置１が完成される。
【００３８】
そして、前述した構成からなる本第１実施形態のバックライト装置１によれば、図３に示すように、バックライト装置１と表示パネルの一例としての液晶表示パネル１４とを組合わせる際に、支持ケース８の側壁８ｂおよび側壁８ｃにそれぞれ形成された支持片１２ａおよび支持片１２ｂに液晶表示パネル１４の側面である端縁を当接させることにより、液晶表示パネル１４とバックライト装置１の位置合わせを容易に行なうことができ、両面粘着テープ等の粘着材（図示せず）により液晶表示パネル１４をバックライト装置１に固定することにより液晶表示装置１５が構成される。
【００３９】
そして、本第１実施形態の表示装置１５においては、支持ケース８に形成された各支持片１２ａ，１２ｂの内側の表面にそれぞれ絶縁性樹脂材料１３が被覆されているので、液晶表示パネル１４の端縁を各支持片１２ａ，１２ｂに当接させて位置合わせをする際、各支持片１２ａ，１２ｂが液晶表示パネル１４の電極（図示せず）に当接したとしても、液晶表示パネル１４の電極に短絡が生じることを防止することができる。
【００４０】
次に、本発明に係る表示装置の第２実施形態について説明する。
【００４１】
図４は本発明に係る表示装置の第２実施形態のバックライト装置を示す概略図、図５は図４の分解斜視図、図６は本第２実施形態の支持ケースの他の形態を示す概略図、図７は本第２実施形態のバックライト装置と液晶表示パネルとを組合わせた概略図である。なお、本第２実施形態において、本第１実施形態と同様の構成である箇所については同様の符号を用いて示し、その詳細な説明は省略する。
【００４２】
本第２実施形態のバックライト装置２１は、図４および図５に示すように、上方が開放された箱状の裏面ケース２内に、光源５、導光板６および複数枚の光学シート７を収納し、前記裏面ケース２に枠状の支持ケース２２を嵌着させて構成されている。
【００４３】
前記裏面ケース２はアルミニウム等の金属材料から形成されており、各側壁２ａ〜２ｄには、前記支持ケース２２に穿設された開口１１ａ〜１１ｈにそれぞれ嵌合する突起部３ａ〜３ｈが一体に形成されている。
【００４４】
また、前記裏面ケース２の隣接する各側壁２ａ〜２ｄ間、つまり、前記裏面ケース２の四隅には、それぞれ開放された切欠き４ａ〜４ｄが形成されており、そのうちの切欠き４ａからは前記光源５の電源ケーブル５ａが引き出されるようになっている。
【００４５】
なお、前記裏面ケース２の背面には、本第２実施形態のバックライト装置２１を電気機器（図示せず）に配設した際にこの電気機器に配設されたアース電極に接続されるアース接続片（図示せず）が一体に形成されている。
【００４６】
前記支持ケース２２は、前記裏面ケース２と同様にアルミニウム等の金属材料から形成されており、液晶表示パネルの表示領域に対応する箇所が開口９とされた枠状に形成されている。
【００４７】
前記支持ケース２２の隣接する各側壁８ａ〜８ｄ間、つまり、前記支持ケース２２の四隅には、前記支持ケース２２を前記裏面ケース２と嵌着させた際に、前記裏面ケース２の各切欠き４ａ〜４ｄとそれぞれ開口を形成する切欠き１０ａ〜１０ｄが形成されている。
【００４８】
また、前記支持ケース２２の各側壁８ａ〜８ｄには、それぞれ所定の間隔を隔てて開口１１ａ〜１１ｈが穿設されている。
【００４９】
そして、本第２実施形態においては、前記支持ケース２２の側壁８ｂおよび側壁８ｃに、上方に突設され、液晶表示パネルが当接して位置合わせするための各側壁８ｂ，８ｃの長手方向にそれぞれ延在するほぼ長方形状の絶縁性樹脂材料からなる支持片２３ａ，２３ｂが配設されている。なお、前記各支持片２３ａ，２３ｂは、図６に示すように、側壁８ｂ，８ｃにわたってＬ字形状に延在する支持片２３ｃとしてもよい。
【００５０】
そして、前記裏面ケース２内に、光源５、導光板６および光学シート７を収納するとともに、前記裏面ケース２の側壁２ａおよび側壁２ｂ間に形成された切欠き４ａから前記光源５の電源ケーブル５ａを引き出し、前記裏面ケース２に形成された各突起部３ａ〜３ｈを前記支持ケース２２の各開口１１ａ〜１１ｈにそれぞれ嵌着させて、前記支持ケース２２を前記裏面ケース２に固定することによりバックライト装置２１が完成される。
【００５１】
そして、前述した構成からなる本第２実施形態のバックライト装置２１によれば、図７に示すように、バックライト装置２１と液晶表示パネル１４とを組合わせる際に、支持ケース２２の側壁８ｂおよび側壁８ｃにそれぞれ配設された支持片２３ａおよび支持片２３ｂに液晶表示パネル１４の端縁を当接させることにより、液晶表示パネル１４とバックライト装置２１の位置合わせを容易に行なうことができ、両面粘着テープ等の粘着材（図示せず）により液晶表示パネル１４をバックライト装置２１に固定することにより液晶表示装置２４が構成される。
【００５２】
そして、本第２実施形態の表示装置２４においては、支持ケース２２に配設された各支持片２３ａ，２３ｂがそれぞれ絶縁性樹脂材料により形成されているので、液晶表示パネル１４の端縁を各支持片２３ａ，２３ｂに当接させて位置合わせをする際、各支持片２３ａ，２３ｂが液晶表示パネル１４の電極端子部（図示せず）に当接したとしても、液晶表示パネル１４の電極端子部の電極に短絡が生じることを防止することができる。
【００５３】
つぎに、本発明に係る表示装置の第３実施形態について説明する。
【００５４】
図８は本発明に係る表示装置の第３実施形態のバックライト装置を示す概略図、図９は図８の分解斜視図、図１０は本第３実施形態のバックライト装置と液晶表示パネルとを組合わせた概略図である。なお、本第３実施形態において、本第１実施形態および本第２実施形態と同様の構成である箇所については同様の符号を用いて示し、その詳細な説明は省略する。
【００５５】
本第３実施形態のバックライト装置３１は、図８および図９に示すように、上方が開放された箱状の裏面ケース３２内に、蛍光管などの光源５、導光板６、拡散シートやレンズシートといった複数枚の光学シート７を収納し、前記裏面ケース３２に枠状の支持ケース３４を嵌着させて構成されている。
【００５６】
前記裏面ケース３２は絶縁性樹脂材料から形成されており、各側壁２ａ〜２ｄには、前記支持ケース３４に穿設された開口１１ａ〜１１ｈにそれぞれ嵌合する突起部３ａ〜３ｈが一体に形成されている。
【００５７】
また、前記裏面ケース３２の隣接する各側壁２ａ〜２ｄ間、つまり、前記裏面ケース３２の四隅には、それぞれ開放された切欠き４ａ〜４ｄが形成されており、そのうちの切欠き４ａからは前記光源５の電源ケーブル５ａが引き出されるようになっている。
【００５８】
また、本第３実施形態の裏面ケース３２の側壁２ｂ，２ｃの上端縁には、それぞれ側壁２ｂおよび側壁２ｃの長手方向に延在する絶縁性樹脂材料からなるほぼ長方形状の支持片３３ａ，３３ｂが突設されている。
【００５９】
前記支持ケース３４はアルミニウム等の金属材料から形成されており、液晶表示パネルの表示領域に対応する箇所が開口９とされた枠状に形成されている。
【００６０】
前記支持ケース３４の隣接する各側壁８ａ〜８ｄ間、つまり、前記支持ケース３４の四隅には、前記支持ケース３４を前記裏面ケース３２と嵌着させた際に、前記裏面ケース３２の各切欠き４ａ〜４ｄとそれぞれ開口を形成する切欠き１０ａ〜１０ｄが形成されている。
【００６１】
また、前記支持ケース３４の各側壁８ａ〜８ｄには、それぞれ所定の間隔を隔てて開口１１ａ〜１１ｈが穿設されている。
【００６２】
さらに、本第３実施形態の支持ケース３４の頂面３４ａの非開口部には、支持ケース３４を前記裏面ケース３２に嵌着させた際に、前記裏面ケース３２に突設された支持片３３ａ，３３ｂをそれぞれ挿通する挿通孔３５ａ，３５ｂが形成されている。
【００６３】
そして、前記裏面ケース３２内に、光源５、導光板６および光学シート７を収納するとともに、前記裏面ケース３２の側壁２ｂおよび側壁２ｃ間に形成された切欠き４ａから前記光源５の電源ケーブル５ａを引き出し、前記裏面ケース３２に突設された各支持片３３ａ，３３ｂを前記支持ケース３４に形成された各挿通孔３５ａ，３５ｂから突出させるとともに、前記裏面ケース３２に形成された各突起部３ａ〜３ｈを前記支持ケース３４の各開口１１ａ〜１１ｈにそれぞれ嵌着させて、前記支持ケース３４を前記裏面ケース３２に固定することによりバックライト装置３１が完成される。
【００６４】
そして、前述した構成からなる本第３実施形態のバックライト装置３１によれば、図１０に示すように、バックライト装置３１と液晶表示パネル１４とを組合わせる際に、裏面ケース３２に配設され支持ケース３４の各挿通孔３５ａ，３５ｂから突出された各支持片３３ａ，３３ｂに液晶表示パネル１４の端縁を当接させることにより、液晶表示パネル１４とバックライト装置３１の位置合わせを容易に行なうことができ、両面粘着テープ等の粘着材（図示せず）により液晶表示パネル１４をバックライト装置３１に固定することにより液晶表示装置３６が構成される。
【００６５】
そして、本第３実施形態の表示装置３６においては、裏面ケース３２に突設され支持ケース３４の各挿通孔３５ａ，３５ｂからそれぞれ突出された各支持片３３ａ，３３ｂがそれぞれ絶縁性樹脂材料により形成されているので、液晶表示パネル１４の端縁を各支持片３３ａ，３３ｂに当接させて位置合わせをする際、各支持片３３ａ，３３ｂが液晶表示パネル１４の電極（図示せず）に当接したとしても、液晶表示パネル１４の電極に短絡が生じることを防止することができる。
【００６６】
なお、前記裏面ケース３２を絶縁性樹脂材料により形成し、各支持片３３ａ，３３ｂを一体に形成しているので、各支持片３３ａ，３３ｂの強度が増し、液晶表示パネル１４を当接させて位置合わせをする際に、各支持片３３ａ，３３ｂを破損しにくくすることができる。
【００６７】
つぎに、本発明に係る表示装置の第４実施形態について説明する。
【００６８】
図１１は本発明に係る表示装置の第４実施形態のバックライト装置を示す概略図、図１２は図１１の分解斜視図、図１３は図１１の裏面ケースの構成を示す上面視概略図図１４は本第４実施形態のバックライト装置と液晶表示パネルとを組合わせた概略図である。なお、本第４実施形態において、本第１実施形態〜本第３実施形態と同様の構成である箇所については同様の符号を用いて示し、その詳細な説明は省略する。
【００６９】
本第４実施形態のバックライト装置４１は、図１１および図１２に示すように、上方が開放された箱状の裏面ケース４２内に、光源５、導光板６および複数枚の光学シート７を収納し、前記裏面ケース４２に枠状の支持ケース８を嵌着させて構成されている。
【００７０】
前記裏面ケース４２は絶縁性樹脂材料から形成されており、各側壁２ａ〜２ｄには、前記支持ケース８に穿設された開口１１ａ〜１１ｈにそれぞれ嵌合する突起部３ａ〜３ｈが一体に形成されている。
【００７１】
また、前記裏面ケース４２の隣接する各側壁２ａ〜２ｄ間、つまり、前記裏面ケース４２の四隅には、それぞれ開放された切欠き４ａ〜４ｄが形成されており、そのうちの切欠き４ａからは前記光源５の電源ケーブル５ａが引き出されるようになっている。
【００７２】
また、本第４実施形態の裏面ケース４２には、図１１〜図１３に示すように、前記切欠き４ｂから外方に突出し、上面視Ｌ字形状に立設された絶縁性樹脂材料からなる支持片４３が配設されている。なお、この支持片４３は、前記裏面ケース４２と前記支持ケース８とを嵌着させた際に、前記支持ケース８の切欠き１０ｂから外方に突出するように形成されている。
【００７３】
前記支持ケース８は、アルミニウム等の金属材料から形成されており、液晶表示パネルの表示領域に対応する箇所が開口９とされた枠状に形成されている。
【００７４】
前記支持ケース８の隣接する各側壁８ａ〜８ｄ間、つまり、前記支持ケース８の四隅には、前記支持ケース８を前記裏面ケース４２と嵌着させた際に、前記裏面ケース４２の各切欠き４ａ〜４ｄとそれぞれ開口を形成する切欠き１０ａ〜１０ｄが形成されている。
【００７５】
また、前記支持ケース８の各側壁８ａ〜８ｄには、それぞれ所定の間隔を隔てて開口１１ａ〜１１ｈが穿設されている。
【００７６】
そして、前記裏面ケース４２内に、光源５、導光板６および光学シート７を収納するとともに、前記裏面ケース４２の側壁２ａおよび側壁２ｂ間に形成された切欠き４ａから前記光源５の電源ケーブル５ａを引き出し、前記裏面ケース４２に形成された各突起部３ａ〜３ｈを前記支持ケース８の各開口１１ａ〜１１ｈにそれぞれ嵌着させて、前記支持ケース８を前記裏面ケース４２に固定することによりバックライト装置４１が完成される。
【００７７】
そして、前述した構成からなる本第４実施形態のバックライト装置４１によれば、図１４に示すように、バックライト装置４１と液晶表示パネル１４とを組合わせる際に、裏面ケース４２に配設された支持片４３に液晶表示パネル１４の端縁を当接させることにより、液晶表示パネル１４とバックライト装置４１の位置合わせを容易に行なうことができ、両面粘着テープ等の粘着材（図示せず）により液晶表示パネル１４をバックライト装置４１に固定することにより液晶表示装置４４が構成される。
【００７８】
そして、本第４実施形態の表示装置４４においては、裏面ケース４２に配設された支持片４３が絶縁性樹脂材料により形成されているので、液晶表示パネル１４の端縁を支持片４３に当接させて位置合わせをする際、支持片４３が液晶表示パネル１４の電極（図示せず）に当接したとしても、液晶表示パネル１４の電極に短絡が生じることを防止することができる。
【００７９】
なお、前記裏面ケース４２は絶縁性樹脂材料により形成され、支持片４３が一体に形成されているので、支持片４３の強度が増し、液晶表示パネル１４を当接させて位置合わせをする際に、支持片４３を破損しにくくすることができる。
【００８０】
なお、本発明は、前述した実施の形態に限定されるものではなく、必要に応じて種々の変更が可能である。
【図面の簡単な説明】
【００８１】
【図１】本発明に係る表示装置の第１実施形態のバックライト装置を示す概略図
【図２】図１の分解斜視図
【図３】本第１実施形態のバックライト装置と液晶表示パネルとを組合わせた概略図
【図４】本発明に係る表示装置の第２実施形態のバックライト装置を示す概略図
【図５】図４の分解斜視図
【図６】本第２実施形態の支持ケースの他の形態を示す概略図
【図７】本第２実施形態のバックライト装置と液晶表示パネルとを組合わせた概略図
【図８】本発明に係る表示装置の第３実施形態のバックライト装置を示す概略図
【図９】図８の分解斜視図
【図１０】本第３実施形態のバックライト装置と液晶表示パネルとを組合わせた概略図
【図１１】本発明に係る表示装置の第４実施形態のバックライト装置を示す概略図
【図１２】図１１の分解斜視図
【図１３】図１１の裏面ケースの構成を示す上面視概略図
【図１４】本第４実施形態のバックライト装置と液晶表示パネルとを組合わせた概略図
【図１５】従来のバックライト装置の概略図
【図１６】図１５の分解斜視図
【図１７】図１５に示すバックライト装置と液晶表示パネルとを組合わせた概略図
【符号の説明】
【００８２】
１  バックライト装置
２  裏面ケース
３ａ〜３ｈ  突起部
４ａ〜４ｄ  切欠き
５  光源
６  導光板
７  光学シート
８  支持ケース
９  開口
１０ａ〜１０ｄ  切欠き
１１ａ〜１１ｈ  開口
１２ａ，１２ｂ，１２ｃ  支持片
１３  絶縁性樹脂材料
１４  液晶表示パネル
１５  液晶表示装置
２１  バックライト装置
２２  支持ケース
２３ａ，２３ｂ  支持片
２４  液晶表示装置
３１  バックライト装置
３２  裏面ケース
３３ａ，３３ｂ，３３ｃ  支持片
３４  支持ケース
３５ａ，３５ｂ，３５ｃ  挿通孔
３６  液晶表示装置
４１  バックライト装置
４２  裏面ケース
４３  支持片
４４  液晶表示装置
【図１】
2008009138.tif 000003
【図２】
2008009138.tif 000004
【図３】
2008009138.tif 000005
【図４】
2008009138.tif 000006
【図５】
2008009138.tif 000007
【図６】
2008009138.tif 000008
【図７】
2008009138.tif 000009
【図８】
2008009138.tif 000010
【図９】
2008009138.tif 000011
【図１０】
2008009138.tif 000012
【図１１】
2008009138.tif 000013
【図１２】
2008009138.tif 000014
【図１３】
2008009138.tif 000015
【図１４】
2008009138.tif 000016
【図１５】
2008009138.tif 000017
【図１６】
2008009138.tif 000018
【図１７】
2008009138.tif 000019